(57)【特許請求の範囲】
【請求項１】
画像データを表示する表示手段と、
前記画像データを記録する記録手段と、
を備えた画像ファイル装置において、
前記画像データを格納する第１の領域と、任意の文字で構成された文字列部を有する画像タイトルデータを前記画像データに関係付けて格納する第２の領域とを有する画像ファイルを生成し、
前記画像ファイルはＤＣＦ規格に準拠した画像ファイル名で管理され、
前記画像ファイル名のデータと異なる前記画像タイトルデータは、ユーザによる変更の対象となるものであって、該画像タイトルデータは、前記画像ファイルの前記第２の領域を形成するヘッダ部に格納され、
前記画像ファイルを前記表示手段に表示するとき、前記画像データと共に、前記ヘッダ部に格納されている前記画像タイトルデータを表示し、
さらに、
前記画像データに関連した文字データを入力する操作手段と、
画像記録操作を検出する記録操作検出手段と、
前記画像ファイルを前記記録手段に出力する画像記録制御手段と、
前記表示手段に表示された文字情報入力モードが前記操作手段によって選択されることにより、前記文字情報入力モードに基づいて前記文字データの入力を制御し、前記記録操作検出手段によって画像記録操作の終了が検出されたときは前記文字情報入力モードの選択状態を一時記憶手段に記憶させ、前記記録操作検出手段によって画像記録操作の開始が検出され、かつ前記一時記憶手段に前記文字情報入力モードが記憶されているときは前記一時記憶手段に記憶された前記文字情報入力モードの選択状態を前記表示手段に表示させる制御手段と、
を備えたことを特徴とする画像ファイル装置。
【請求項２】
サムネイル画像データを表示するモードを有し、ユーザによって選択された前記サムネイル画像データを含む前記画像ファイルの前記画像タイトルデータを、前記サムネイル画像データと共に表示することを特徴とする請求項１に記載の画像ファイル装置。
【発明の詳細な説明】
【０００１】
【発明の属する技術分野】
本発明は、内視鏡等により撮影した画像を記録媒体に記録し、記録された画像を必要に応じて読み出して観察を行う画像ファイル装置に関するものである。
【０００２】
【従来の技術】
多数の画像を記録媒体に記録しておき、記録された画像を必要に応じて読み出して観察できるようにした画像ファイル装置は、例えば内視鏡装置などにおいて検査、診断用に撮影した画像を記録するために用いられている。
【０００３】
ところで、従来の内視鏡画像ファイル装置は、機器ごとに異なる画像フォーマットで画像を記録していた。
【０００４】
また、従来の内視鏡画像ファイル装置は、機器ごとにフォーマットが異なる画像管理テーブルで画像を管理していた。
【０００５】
従って、ある内視鏡画像ファイル装置で記録した画像を別の内視鏡画像ファイル装置に読み込ませる場合は、画像フォーマット、および画像管理テーブルを読み込ませたい内視鏡画像ファイル装置に合わせて変換する必要がある。先行技術としては例えば本出願人が特許出願した特開平8−336160号公報がある。
【０００６】
該公報では、ある内視鏡装置で記録した画像を、読み込ませたい画像ファイル装置の画像ファイルフォーマットに変換し、かつ画像管理テーブルのフォーマットも変換して、画像の通信、コピーを行うものであった。
【０００７】
最近はパーソナルコンピュータや、デジタルスチルカメラ、およびその周辺機器が普及しており、内視鏡画像ファイル装置で画像を記録した記録媒体からデータを読み込ませ、ユーザーが手持ちのデジタルスチルカメラで再生したり、デジタルカメラ用プリンタで印刷したりしたいというニーズがある。
【０００８】
そのため、内視鏡画像ファイル装置で記録する画像の画像フォーマット、及び画像管理方法もデジタルスチルカメラ規格に準拠する様になった。このようなデジタルスチルカメラ規格としてJEIDA規格のディジタルスチルカメラ用画像ファイルフォーマット規格（以下、Exifという）がある。更にExif仕様をベースとして画像ファイルを簡便に交換する目的でJEIDA規格のカメラファイルシステム規格（以下、DCFという）がある。
【０００９】
DCF規格に準拠した画像管理を行うと、画像はDCFディレクトリと呼ばれる複数のディレクトリに格納される。
【００１０】
DCFディレクトリ名は３文字のディレクトリ番号と、ディレクトリ番号に引き続き５文字の任意の文字列からなる自由文字で構成する必要がある。例えば100ABCDEのようになる。
【００１１】
また、画像ファイルはDCFファイル名というルールに従って画像ファイル名で管理される。
【００１２】
DCFファイル名は、４文字の任意の文字列からなる自由文字と、自由文字に引き続き４文字のファイル番号で構成し、拡張子はJPGとする必要がある。例えばABCD0001.JPGのようになる。
【００１３】
これらルールから外れるとデジタルカメラ、およびその周辺機器は記録媒体内のファイルを認識できないので、これらデジタルカメラ等の機器での再生、印刷等ができなくなる。
【００１４】
一方、内視鏡装置の被写体となるものとして、パイプの管路内やジェットエンジン内のタービンブレード等がある。これらの画像は類似した画像である場合がある。
【００１５】
例えばジェットエンジン内のタービンブレードを例に挙げると、タービン上に形状の類似したタービンブレードが何枚も配置され、且つそのようなタービンがジェットエンジン内に何段にも渡って配置されており、これらの被写体の画像を内視鏡画像ファイル装置で記録する場合、画像とともにタイトルやコメントを記録しておくことが一般的に行われる。
【００１６】
従来は特願平11−022243号にも開示されているように、画像１枚１枚に対してキーボードから文字データ等を入力し文字データファイルとして記録し、インデックス情報ファイルに画像ファイルと文字データファイルの関係付け情報を記録していた。
【００１７】
【発明が解決しようとする課題】
ところが、前述のジェットエンジンのようにタービンブレードが何段にも渡って配置されている被写体の場合、エンジン種、タービン種、及びブレード等を指定して画像を記録する必要がある。
【００１８】
その為に、DCF 規格に準拠する画像の場合は、画像ファイル内に画像のタイトルを記録しておくことができる。
【００１９】
しかし、ジェットエンジンのようにタービン上に、ブレードが何枚も配置され、且つそのようなタービンが何段も配置されている被写体の検査画像を記録する際、画像にタイトルを付ける作業が面倒であった。
【００２０】
例えば、「１ｓｔ．ＢＬＡＤＥ」、「２ｎｄ．ＢＬＡＤＥ」のようにタイトルを付ける場合、キーボードから１ｓｔ．、２ｎｄ．のように入力する作業が全ブレード数分必要であった。
【００２１】
本発明の目的は、上記の問題に鑑みてなされたものであり、市販のデジタルカメラでの再生や、その周辺機器例えばデジタルカメラ用プリンタでの印刷が可能で、且つ画像を管理しやすく、また形状が類似した多数の被写体であっても各被写体画像に対するタイトル付けが容易に行える画像ファイル装置を提供することである。
【００２２】
【課題を解決するための手段】
本発明の画像ファイル装置は、画像データを表示する表示手段と、前記画像データを記録する記録手段と、を備えた画像ファイル装置であって、前記画像データを格納する第１の領域と、任意の文字で構成された文字列部を有する画像タイトルデータを前記画像データに関係付けて格納する第２の領域とを有する画像ファイルを生成し、前記画像ファイルはＤＣＦ規格に準拠した画像ファイル名で管理され、前記画像ファイル名のデータと異なる前記画像タイトルデータは、ユーザによる変更の対象となるものであって、該画像タイトルデータは、前記画像ファイルの前記第２の領域を形成するヘッダ部に格納され、前記画像ファイルを前記表示手段に表示するとき、前記画像データと共に、前記ヘッダ部に格納されている前記画像タイトルデータを表示し、
さらに、
前記画像データに関連した文字データを入力する操作手段と、
画像記録操作を検出する記録操作検出手段と、
前記画像ファイルを前記記録手段に出力する画像記録制御手段と、
前記表示手段に表示された文字情報入力モードが前記操作手段によって選択されることにより、前記文字情報入力モードに基づいて前記文字データの入力を制御し、前記記録操作検出手段によって画像記録操作の終了が検出されたときは前記文字情報入力モードの選択状態を一時記憶手段に記憶させ、前記記録操作検出手段によって画像記録操作の開始が検出され、かつ前記一時記憶手段に前記文字情報入力モードが記憶されているときは前記一時記憶手段に記憶された前記文字情報入力モードの選択状態を前記表示手段に表示させる制御手段と、を備えたことを特徴とする。
【００２３】
請求項１によれば、同一画像ファイル内に画像データとともに第１の文字データ例えばタイトル名などを格納でき、画像管理も効率的に行える。
【００２６】
【発明の実施の形態】
発明の実施の形態について図面を参照して説明する。
〔第１の実施の形態〕
図１は本発明の第１の実施の形態の内視鏡画像ファイル装置を示すブロック図である。
本実施の形態の内視鏡画像ファイル装置１は、システム制御部２と、映像信号処理回路５と、音声信号処理回路８と、RS-232C インタフェース（I/Fと略記）１１と、PCカードI/F１２と、USB I/F１４とを備えて構成されている。
システム制御部２は、本画像ファイル装置１の動作を制御するものである。
【００２７】
映像信号処理回路５は、内視鏡ユニット９からの信号を映像信号に変換するカメラコントロールユニット（以下、CCUという）３からの映像信号を入力し、映像出力装置４へ映像信号を出力するインターフェース（以下、I/Fという）としての機能を有するものである。
【００２８】
音声信号処理回路８は、音声信号入力装置６からの音声信号を入力し、音声出力装置７へ音声信号を出力するI/Fとしての機能を有するものである。
RS-232C I/F１１は、内視鏡ユニット９、CCU３、リモコン１０をシリアル信号で制御するものである。
【００２９】
PCカードI/F１２は、CCU３からの映像信号をA/D変換し圧縮処理を施した画像データ、及び音声信号入力装置６からの音声信号をA/D変換した音声データをPCカード１９に記録し、またPCカード１９に記録されている画像データ、および音声データを読み出すI/Fである。
【００３０】
USB I/F１４は、パーソナルコンピュータ（以下、PCと略記）１３と接続し、内視鏡画像ファイル装置１、CCU３、および内視鏡ユニット９を遠隔制御し、また内視鏡画像ファイル装置１との間で、画像データおよび音声データを転送する際のI/Fとなるものである。
【００３１】
また、上記のシステム制御部２は物理的には、本画像ファイル装置１を制御するCPU１５と、CPU１５が実行するシステム制御プログラムを格納するROM１６と、CPU１５が実行するプログラムを格納したり、CPU１５の作業領域を確保するRAM１７とからなる。なお、システム制御部２の機能的な構成は、図９において後述する。
【００３２】
また、内視鏡ユニット９には、内視鏡挿入部１８が設けられ、また内部には図示しない光源が設けられ、内視鏡挿入部１８を被写体内に挿入し、内視鏡挿入部１８の先端部内等に設けた撮像素子で撮像する。
PCカードI/F１２には、記録手段としてのPCカード１９が挿入可能とされ、挿入されたPCカード１９にデータの読み書きを行えるようになっている。
【００３３】
図２は図１における映像信号処理回路５の構成を示している。
図２に示すように、映像信号処理回路５は、A/D変換部２０と、JPEG圧縮／解凍部２１と、VRAM２２と、動画圧縮／解凍部２３と、フレームメモリ２６と、グラフィック処理部２４と、スーパーインポーズ部２５と、D/A変換部２７と有して構成されている。
【００３４】
A/D変換部２０は、CCU３からの映像信号をA/D変換する。フレームメモリ２６はA/D変換された映像データを一時記憶する。JPEG圧縮／解凍部２１は、静止画像データを圧縮／解凍する。VRAM２２はJPEG圧縮／解凍部２１で圧縮する画像データ、又は解凍された画像データを一時記憶する。動画圧縮／解凍部２３は、動画像データを圧縮／解凍する。グラフィック処理部２４は、グラフィックデータを生成するものである。
【００３５】
スーパーインポーズ部２５は、A/D変換部２０がデジタル変換した映像データ、またはJPEG圧縮／解凍部２１、動画圧縮／解凍部２３からの映像データと、グラフィック処理部２４が生成したグラフィックデータとを重畳する。D/A変換部２７は、スーパーインポーズ部２５からの映像データをD/A変換する。
【００３６】
音声信号処理回路８は、音声信号入力装置６からの音声信号をA/D変換するA/D変換部２８と、このデジタル音声信号を符号化／復号化する音声符号化／復号化部２９と、復号化したデジタル音声信号をD/A変換するD/A変換部３０とからなる。
【００３７】
図３は図１におけるリモコン１０の外観構成を示している。
図３に示すように、リモコン１０は、リモコンケーブル３９で本画像ファイル装置１のRS-232C I/F１１と接続される。リモコン１０には複数のスイッチが配置されている。
【００３８】
リモコン１０は、ジョイスティック３１と、レバースイッチ３２と、プッシュスイッチ３３とを有している。
ジョイスティック３１は、任意の方向へ傾倒すると傾倒角度情報を出力でき、また中心軸方向へ押下すると押下情報を出力できる。
【００３９】
レバースイッチ３２は、上下左右方向へ傾倒すると各方向への傾倒を示す情報を出力でき、また中心軸方向へ押下すると押下情報を出力できる。
プッシュスイッチ３３は、押下することにより押下情報を出力するものである。プッシュスイッチ３３には複数のスイッチがあり、例えばフリーズスイッチ３６、ズームスイッチ３７、ストアスイッチ３８がある。
【００４０】
上記プッシュスイッチ３３の各スイッチ３６，３７，３８の押下情報は各機能に割り当てられている。
リモコン１０からの傾倒情報、および押下情報という制御信号は、RS-232C I/F１１を介して、CPU１５に入力され、CPU１５はシステム制御プログラムに従い、本画像ファイル装置１を制御する。
【００４１】
例えば、リモコン１０のジョイスティック３１を任意方向に傾倒すると、その制御信号はRS-232C I/F１１を介してCPU１５に入力される。 CPU１５は内視鏡挿入部１８先端に対するアングル制御信号をRS-232C I/F１１を介して、内視鏡ユニット９に送信する。内視鏡ユニット９は内部に図示しないモータを備え、内視鏡挿入部１８内のアングル操作用ワイヤーを巻き取ったり、伸ばしたりすることにより内視鏡挿入部１８先端のアングル角度を制御する。
【００４２】
また、ジョイスティック３１を中心軸方向へ押下すると、その制御信号は同様にCPU１５に入力され、CPU１５は内視鏡挿入部１８先端のアングルロック信号をRS-232C I/F１１を介して、内視鏡ユニット９に送信する。内視鏡ユニット９はモータを停止し、内視鏡挿入部１８先端のアングル角度を固定する。
【００４３】
リモコン１０のレバースイッチ３２を上下左右の４方向に傾倒し、またレバー中心軸方向に押下すると、その制御信号はRS-232C I/F１１を介してCPU１５に入力される。CPU１５はその制御信号が上下左右の４方向への傾倒を示す信号であれば、システム制御プログラムに従い、メニュー選択処理を実行するとともに、メニュー選択操作信号をグラフィック処理部２４に送る。グラフィック処理部２４では図５のメニュー付きライブ画面に示すようなメニューアイコン３４を表示し、選択中のアイコンをハイライト表示する。
【００４４】
CPU１５はその制御信号がレバー中心軸方向への押下を示す信号であればシステム制御プログラムに従い、メニュー非表示中であればメニューを表示し、またメニュー表示中であればメニュー確定処理を実行するとともに確定した機能を実行する。
【００４５】
また、メニュー確定操作に伴って発生するグラフィック生成信号をグラフィック処理部２４に送る。グラフィック処理部２４では、図６の画像タイトル入力ウインドウ３５に示すようなウインドウを表示する。これは記録する画像にタイトルを付加する機能である。
【００４６】
その他のメニューとしては、画像を記録するディレクトリにタイトルを付加するディレクトリにタイトル（DIRECTORY TITLE） 機能、CCU３の映像信号を制御するイメージ（IMAGE）機能、画像を記録するディレクトリを追加するアド・ディレクトリ（ADD DIRECTORY）機能、本画像ファイル装置１の各種設定を実行するセットアップ（SETUP）機能、上記各メニューで設定された機能を初期状態に戻すデフォルト（DEFAULT）機能、ライブ画像と既にPCカード１９に記録されている静止画像を並べて表示するコンペア（COMPARE）機能がある。
【００４７】
リモコン１０のレバースイッチ３２を傾倒しIMAGE機能を選択した状態で、レバースイッチ３２を中心軸方向に押下し確定すると、IMAGEメニューのサブメニューが表示される。
サブメニューの機能としては、例えば自動利得制御（AGC）のオン・オフ（ON/OFF）、測光条件の設定機能がある。
【００４８】
同様にSETUP機能のサブメニューとしては本装置１の日時を設定するアジャスト・デイト（ADJUST DATE） 機能や、音声信号処理回路８からの音声出力のオン・オフ（ON/OFF）を制御するオーディオ・アウト（AUDIO OUT）機能がある。
【００４９】
リモコン１０のプッシュスイッチ３３を押下すると、その制御信号はRS-232C I/F１１を介してCPU１５に入力される。
CPU１５は各ホットキーが持つ制御信号を受け、システム制御プログラムに従い、各種処理を実行する。
【００５０】
例えばフリーズスイッチ３６であれば、システム制御部２は映像信号処理回路５のA/D変換部２０でデジタル化された映像データをフレームメモリ２６に一時記憶し、フレームメモリ２６が記憶している映像データを読み出してスーパーインポーズ部２５でグラフィックデータと重畳し、D/A変換部２７を介して映像出力装置４に出力する。この場合、フレームメモリ２６を書き込み禁止にすることにより、フレームメモリ２６から読み出される映像データは書き込み禁止直前のものとなり、同じ映像データが繰り返し読み出される。つまり静止画像（フリーズ画像）が表示される。
【００５１】
再びフリーズスイッチ３６が押下された場合は、フレームメモリ２６の書き込み禁止を解除し、システム制御部２は映像信号処理回路５のA/D変換部２０でデジタル化された映像データをフレームメモリ２６を介してスーパーインポーズ部２５でグラフィックデータと重畳し、D/A変換部２７を介して映像出力装置４に出力する。フレームメモリ２６の書き込みが解除されることにより、ライブ画像（動画像）の映像データがスーパーインポーズ部２５側に出力されるようになる。
【００５２】
ズームスイッチ３７であれば、CPU１５はズーム制御信号をRS-232C I/F１１を介して、CCU３に送信する。 CCU３はズーム信号を受け、所定のズーム処理を施した映像信号を本装置１に出力する。
【００５３】
また、ストアスイッチ３８であれば、CPU１５はその信号が静止画ストア信号か、動画ストア信号かを判断し、静止画ストア信号であればA/D変換された映像信号をJPEG圧縮し、PCカードI/F１２を介してPCカード１９に記録する。この時、音声信号入力装置６から入力されている音声信号はA/D変換部２８を介して音声符号化／復号化部２９に入力され、符号化された音声信号もCPU１５によってPCカード１９に記録される。
【００５４】
また動画ストア信号であればA/D変換された映像信号を動画圧縮し、CPU１５によってPCカードI/F１２を介してPCカード１９に記録する。この時音声信号入力装置６から音声信号が入力されている場合は、静止画時と同様にしてPCカード１９に記録する。
【００５５】
図４から図７を用いて画像にタイトルを付加する場合を説明する。
図４に示すライブ画面にはCCU３から入力された映像信号をA/D変換したライブ画像４０が全画面に表示される。
また、スーパーインポーズ部２５で重畳されたグラフィックデータも表示される。
【００５６】
日時表示４１は本画像ファイル装置１が設定されている日時を示す。ディレクトリタイトル表示４２は、画像が記録されるディレクトリのタイトルを示す。画像タイトル表示４３は、記録する画像に付加されたタイトルを示す。
PCカード使用量表示４４は、PCカードI/F１２に挿入されているPCカード１９の使用量をパーセント表示する。本図ではPCカード１９全容量の７０％を使用済みということを表す。
【００５７】
メニューを表示し画像にタイトルを付加する操作を説明する。
図４に示すライブ画面表示状態において、リモコン１０のレバースイッチ３２を押下すると、CPU１５はメニュー生成信号をグラフィック処理部２４に通知し、図５に示すメニュー付きライブ画面を表示する。
【００５８】
リモコン１０のレバースイッチ３２を傾倒することに基づく制御信号によってメニューを操作し画像タイトル（IMAGE TITLE）機能が選択され、レバースイッチ３２を押下することにより確定されると、図６に示す画像タイトル入力ウィンドウ３５が表示される。
【００５９】
画像タイトル入力ウィンドウ３５上には、入力されたタイトルを全消去するタイトルクリアボタン４５と、任意の文字列を入力できるタイトル部４６と、タイトル部４６に入力されているタイトルに対して連番をインクリメントするプラス１ボタン４７と、ストアスイッチ３８が押下されると連番部４８をインクリメントした上で画像記録処理を実行するオートボタン８８と、連番を表示する連番部４８とが設けられている。連番部４８の初期値は０である。
【００６０】
図７のフローチャートを用いて画像タイトル入力機能を説明する。
タイトル入力機能を起動すると、ステップＳ１ において、タイトル部データ変数T１、連番部データ変数N１、入力モード変数M１、カーソル位置変数P１が、それぞれタイトル部バッファT０、連番部バッファN０、入力モードバッファM０、カーソル位置バッファP０で初期化される。
【００６１】
タイトル部データ変数T１は、画像タイトル入力ウィンドウ３５上タイトル部４６に表示される文字列を記憶する変数である。
連番部データ変数N１は、画像タイトル入力ウィンドウ３５上連番部に表示される数字を記憶する変数である。
【００６２】
入力モード変数M１は、入力対象カーソル５５が、タイトルクリアボタン４５、タイトル部４６、連番部４８、プラス１ボタン４７、オートボタン８８のいずれ上に存在するかによって入力モードを決定し記憶する変数である。
【００６３】
カーソル位置変数P１は、入力モードがタイトル部入力モードの場合に、タイトル部４６の何番目の文字上に入力対象カーソル５５が位置しているかを記憶する変数である。
【００６４】
タイトル部バッファT０、連番部バッファN０、入力モードバッファM０、カーソル位置バッファP０は、画像タイトル入力機能終了時に上記各変数T１，N１，M１，P１の値をバックアップし、次に画像タイトル入力機能が起動された時に、前回の画像タイトル入力機能終了時の状態を復帰するためのバッファである。
【００６５】
かつ、タイトル部バッファT０、連番部バッファN０は、画像、音声のストア処理が実行された場合に、ファイルに書き込まれる。
【００６６】
ステップＳ２〜Ｓ１０、Ｓ２０、Ｓ２１に示すように、リモコン１０のレバースイッチ３２を左右に傾倒することにより、入力対象カーソル５５がタイトルクリアボタン４５、タイトル部４６の各文字、連番部４８、プラス１ボタン４７、オートボタン８８を移動する（ステップＳ３，Ｓ５，Ｓ７，Ｓ９、Ｓ２０参照）。
【００６７】
入力対象カーソル５５が、タイトルクリアボタン４５、タイトル部４６、連番部４８、プラス１ボタン４７、オートボタン８８上に位置すると、入力モード変数M１をそれぞれタイトルクリアモード、タイトル部入力モード、連番部モード、プラス１モード、オートモードに設定する（ステップＳ４，Ｓ６，Ｓ８，Ｓ１０、Ｓ２１参照）。
【００６８】
ステップＳ６でタイトル入力モードが設定された時は、ステップＳ２にリターンする。ここでレバースイッチ３２を上下に傾倒した場合は、ステップＳ１１の確認判定を経てステップＳ１２のタイトル編集処理を実行する。
【００６９】
Ｓ１２のタイトル編集処理は、レバースイッチ３２を上下に傾倒することにより、入力文字を選択する。
【００７０】
例えば、図６の様に‘Ｃ’が表示されている場合、上に傾倒すると‘Ｂ’が表示され、下に傾倒すると‘Ｄ’が表示される。上に傾倒し続け‘Ａ’が表示された状態で更に上に傾倒すると、‘９’が表示され、更に上に傾倒すると‘８’、‘７’と数字入力できる。
【００７１】
また、ステップＳ８で連番入力モードが設定された時には、ステップＳ２にリターンする。ここでレバースイッチ３２を上下に傾倒した場合は、ステップＳ１３の確認判定を経てステップＳ１４の連番編集処理を実行する。
【００７２】
Ｓ１４の連番編集処理は、レバースイッチ３２を上に傾倒することにより連番をインクリメントし、下に傾倒することにより連番をデクリメントする。例えば連番が１０の場合、上に傾倒すると１１、下に傾倒すると９となる。
【００７３】
ステップＳ４でタイトルクリアモードが設定された時には、ステップＳ２にリターンする。ここでレバースイッチ３２を押下すると、ステップＳ１５の確認判定を経てステップＳ１６においてタイトル部４６をスペースでクリアし、連番部４８を０にする。
【００７４】
ステップＳ１０でプラス１モードが設定された時には、ステップＳ２にリターンする。ここでレバースイッチ３２を押下すると、ステップＳ１７の確認判定を経てステップＳ１８において連番部４８をインクリメントする。
同様に、ステップＳ２０でオートモードが設定された時には、ステップＳ２にリターンする。
【００７５】
そして、画像タイトル入力機能終了時には、ステップＳ１９に示すように、タイトル部バッファT０、連番部バッファN０、入力モードバッファM０、カーソル位置バッファP０は、各変数T１，N１，M１，P１の値を設定（バックアップ）し、次回の起動時に前回のタイトル入力機能終了時の状態に復帰させる。
【００７６】
このようにタイトル入力機能を、上述のジェットエンジンのタービンブレード検査のような場合に、ライブ画像４０での被写体確認、画像をフリーズ、タイトル機能付け、画像ストアという内視鏡での検査フローに適用すると、以下のように便利である。
【００７７】
検査開始前に、あらかじめタイトル部４６に“BLADE CHECK” などの文字列を入力し、入力対象カーソル５５をプラス１ボタン４７上に位置させ、レバースイッチ３２を押下する。ここで連番部４８は１となり、１枚目の画像をストアすると、タイトル部４６“BLADE CHECK”、連番部が“１”、の画像がストアされる。
【００７８】
引き続き、隣のタービンブレードを映像出力装置４の画面上で確認し、フリーズした後の、タイトル入力に対して行う操作はレバースイッチ３２を２回押下するだけで良い。
【００７９】
つまり１回目の押下で画像タイトル入力機能起動、この時入力モードバッファM０から入力モード変数M１に代入する初期化によって、前回のプラス１モードが復帰されるので、入力対象カーソル５５はプラス１ボタン４７上に位置している。従って、もう一度レバースイッチ３２を押下すると、連番部４８がインクリメントされ画像タイトル入力が終了する。
この画像をストアすると、タイトル部４６“BLADE CHECK”、連番部４８が“２”、の画像がストアされる。
【００８０】
また、検査開始前に、予めタイトル部４６に“BLADE CHECK”等の文字列を入力し、入力対象カーソル５５をオートボタン８８上に位置させ、レバースイッチ３２を押下する。
【００８１】
ここで、１枚目の画像をストアすると、図１５に示すフローに従い、記録処理が実行され、連番部は１となり、タイトル部４６“BLADE CHECK”、連番部４８が“１”、の画像がストアされる。
図１５のフローに従った記録処理の説明は後述する。
【００８２】
引き続き、隣のタービンブレードを映像出力装置４の画面上で確認し、フリーズした後の連番部４８のインクリメント操作はストアスイッチを押下するだけで良い。つまり、画像ストアを実行すると、図１５のフローに従い、連番部４８はインクリメントされると共に、画像記録が実行される。
【００８３】
次に、メニューを表示しディレクトリにタイトルを付加する操作を説明する。
図４に示すライブ画面表示状態において、リモコン１０のレバースイッチ３２を押下すると、CPU１５はメニュー生成信号をグラフィック処理部２４に通知し図５に示すメニュー付きライブ画面を表示する。
【００８４】
リモコン１０のレバースイッチ３２を傾倒することに基づく制御信号によってメニューを操作しDIRECTORY TITLE 機能が選択され、レバースイッチ３２を押下することにより確定されると、図８に示すディレクトリタイトル入力ウィンドウが表示される。ディレクトリタイトル入力ウィンドウは、入力されたタイトルを全消去するタイトルクリアボタン４５と、任意の文字列を入力できるタイトル部４６とからなる。
【００８５】
図８のディレクトリタイトル入力ウィンドウに示すDIRECTORY TITLE機能の選択後は、図６で説明した画像タイトル入力機能のタイトル部４６、タイトルクリアボタン４５に対する操作と同様の操作によってディレクトリに対してタイトルを付加できる。
【００８６】
図９は図１におけるシステム制御部２の構成を示すブロック図である。
図９に示すように、システム制御部２は機能的には、画像記録制御手段としての静止画像データ記録制御部５４と、動画像データ記録制御部５５と、音声データ記録制御部５６と、静止画像データ出力制御部５７と、動画像データ出力制御部５８と、音声データ出力制御部５９と、操作検出部６０と、内視鏡ユニット制御部６１と、CCU制御部６２と、表示画像出力制御部６３と、時計６４と、情報記録制御手段としてのディレクトリタイトル記録制御部６５とを有して構成されている。
【００８７】
画像記録制御手段としての静止画像データ記録制御部５４は、JPEG圧縮／解凍部２１で圧縮された静止画像データ、及び操作検出部６０内の静止画像操作検出部（図１０の符号６８を参照）から入力された画像タイトルを、PCカードI/F１２を介してPCカード１９へ書き込むためのものである。
【００８８】
動画像データ記録制御部５５は、動画圧縮／解凍部２３で圧縮された動画像データを、PCカードI/F１２を介してPCカード１９へ書き込むためのものである。
【００８９】
音声データ記録制御部５６は、音声信号処理回路８で音声符号化された音声データを、PCカードI/F１２を介してPCカード１９へ書き込むためのものである。
【００９０】
静止画像データ出力制御部５７は、PCカードI/F１２から静止画像データを読み出し、JPEG圧縮／解凍部２１へ出力し、また画像タイトル、ディレクトリタイトルをグラフィック処理部２４へ出力するものである。
【００９１】
動画像データ出力制御部５８はPCカードI/F１２から動画像データを読み出し、動画圧縮／解凍部２３へ出力するものである。
音声データ出力制御部５９は、PCカードI/F１２から音声データを読み出し、音声信号処理回路８へ出力するものである。
操作検出部６０は、RS-232C I/F１１を介したリモコン１０の制御信号、またUSB I/F１４を介したPC１３からの制御信号を検出するものである。
【００９２】
内視鏡ユニット制御部６１は、操作検出部６０からの出力を得て、内視鏡ユニット９に対しアングル制御信号等の内視鏡ユニット制御信号をRS-232C I/F１１を介して出力するものである。
CCU制御部６２は、操作検出部６０からの出力を得て、CCU３に対しズーム制御信号等のCCU制御信号をRS-232C I/F１１を介して出力するものである。
【００９３】
表示画像出力制御部６３は、操作検出部６０からの出力を得て、静止画像、または動画像データ再生操作であった場合には、夫々JPEG圧縮／解凍部２１からの映像信号、動画圧縮／解凍部２３からの映像データをスーパーインポーズ部２５から出力し、静止画像、または動画像データ再生操作以外の操作であった場合には、A/D変換部２０からの映像データをスーパーインポーズ部２５から出力する様にスーパーインポーズ部２５を制御するものである。
【００９４】
また、操作検出部６０からの出力を得て、コンペア表示操作であった場合には、A/D変換部２０からの映像データと、JPEG圧縮／解凍部２１或いは動画圧縮／解凍部２３からの映像データを１画面内で切り替えてスーパーインポーズ部２５から出力するように、スーパーインポーズ部２５を制御する。
また、操作検出部６０からの出力を得て、再生画像のパン操作であった場合には、VRAM２２からの読み出し位置を変更するようにJPEG圧縮／解凍部２１を制御する。
【００９５】
時計６４は、静止画像データの記録日時等を記録するために静止画像データ記録制御部５４へ日時情報を与えるものである。
情報記録制御手段としてのディレクトリタイトル記録制御部６５は、ディレクトリタイトル入力機能で入力されたディレクトリタイトルからディレクトリタイトル記録ファイルを作成し、PCカードI/F１２を介してPCカード１９へ記録するものである。
【００９６】
図１０は図９における操作検出部６０の構成を示すブロック図である。
図１０に示すように、操作検出部６０は、リモコン操作検出部６６と、PC操作検出部６７と、静止画像記録操作検出部６８と、動画像記録操作検出部６９と、音声記録操作検出部７０と、静止画像再生操作検出部７１と、動画像再生操作検出部７２と、音声再生操作検出部７３と、内視鏡ユニット制御操作検出部７４と、CCU制御操作検出部７５と、ディレクトリタイトル記録操作検出部８５と、コンペア操作検出部８９と、パン操作検出部９０を有して構成されている。
【００９７】
リモコン操作検出部６６は、リモコン１０から入力された操作指示や、画像タイトル、ディレクトリタイトル等の文字データを検出するためのものである。
【００９８】
PC操作検出部６７は、PC１３から入力された操作指示や文字データを検出するためのものである。
【００９９】
静止画像記録操作検出部６８は、静止画像を記録する操作指示、および画像タイトル、ディレクトリタイトルを入力する操作指示を検出するためのものである。
動画像記録操作検出部６９は、動画像を記録する操作指示を検出し動画像データ記録制御部５５に記録指示を出力するとともに静止画像データ記録制御部５４に記録指示を出力するものである。
【０１００】
音声記録操作検出部７０は、音声を記録する操作指示を検出し音声データ記録制御部５６に記録指示を出力するとともに静止画像データ記録制御部５４に記録指示を出力するものである。
静止画像再生操作検出部７１は、静止画像を再生する操作指示を検出するものである。
【０１０１】
動画像再生操作検出部７２は、動画像を再生する操作指示を検出するものである。
音声再生操作検出部７３は、音声を再生する操作指示を検出するものである。
内視鏡ユニット制御操作検出部７４は、内視鏡ユニット制御操作を検出するものである。
【０１０２】
CCU制御操作検出部７５は、CCU制御操作を検出するものである。
ディレクトリタイトル記録操作検出部８５は、ディレクトリタイトル入力機能での入力指示を検出するものである。
コンペア操作検出部８９は、コンペア表示操作指示を検出するものである。また、パン操作検出部９０は、再生画像のパン操作指示を検出するものである。
【０１０３】
図１１は図９における画像記録制御手段としての静止画像データ記録制御部５４の構成を示すブロック図である。
図１１に示すように、静止画像データ記録制御部５４は、画像ヘッダ記録制御部７６と、主画像データ記録制御部８０と、サムネイル画像記録制御部７８とを有して構成されている。
【０１０４】
画像ヘッダ記録制御部７６は、静止画像記録操作検出部６８から入力された画像タイトル、時計６４から入力された静止画像データの記録日時等から画像ヘッダ部を作成し、PCカードI/F１２へ出力するものである。
主画像データ記録制御部８０は、JPEG圧縮／解凍部２１から入力される圧縮画像データを主画像データとしてPCカードI/F１２へ出力するものである。
【０１０５】
サムネイル画像記録制御部７８は、JPEG圧縮／解凍部２１から入力される圧縮画像データを間引いてサムネイル画像データを作成し、PCカードI/F１２へ出力するものである。
図１２は図９における静止画像データ出力制御部５７の構成を示すブロック図である。
【０１０６】
図１２に示すように、静止画像データ出力制御部５７は、画像ヘッダ出力制御部８１と、ディレクトリタイトル出力制御部８２と、主画像データ出力制御部８３と、サムネイル画像出力制御部８４とを備えて構成されている。
【０１０７】
画像ヘッダ出力制御部８１は、PCカードI/F１２から静止画像データを読み出し、画像ヘッダ部から日時、画像タイトルデータをグラフィック処理部２４に対して出力するものである。
【０１０８】
ディレクトリタイトル出力制御部８２は、PCカードI/F１２からディレクトリタイトル記録ファイルを読み出し、ディレクトリタイトルをグラフィック処理部２４に対して出力するものである。
主画像データ出力制御部８３は、PCカードI/F１２から主画像データをJPEG圧縮／解凍部２１へ出力するものである。
【０１０９】
サムネイル画像出力制御部８４は、PCカードI/F１２からサムネイル画像データをJPEG圧縮／解凍部２１へ出力するためのものである。
次に、図１３のフローチャートを参照しながら、ディレクトリタイトル入力機能を説明する。
【０１１０】
ディレクトリタイトル入力機能を起動すると、ステップＳ３１に進む。ステップＳ３１では、ディレクトリタイトル部データ変数DT１、入力モード変数DM１、カーソル位置変数DP１が、それぞれディレクトリタイトル部バッファDT０、入力モードバッファDM０、カーソル位置バッファDP０で初期化される。
ディレクトリタイトル部データ変数DT１はディレクトリタイトル入力ウィンドウ上のタイトル部に表示される文字列を記憶する変数である。
【０１１１】
入力モード変数DM１は入力対象カーソル５５が、タイトルクリアポタン４５、タイトル部４６のいずれかの上に存在するかによって入力モードを決定し記憶する変数である。
カーソル位置変数DP１は、入力モードがタイトル部入力モードの場合に、タイトル部４６の何番目の文字上に入力対象カーソル５５が位置しているかを記憶する変数である。
【０１１２】
ディレクトリタイトル部バッファDT０、入力モードバッファDM０、カーソル位置バッファDP０は、ディレクトリタイトル入力機能終了時に上記各変数DT１，DM１，DP１の値をパックアップし、次にディレクトリタイトル入力機能が起動された時に、前回のディレクトリタイトル入力機能終了時の状態を復帰するためのバッファである。かつ、ディレクトリタイトル部パッファDT０は図１８に示すディレクトリタイトル記録ファイルに書き込まれる。
【０１１３】
ステップＳ３１の後には、ステップＳ３２に進んで、リモコン１０のレバースイッチ３２の入力が判定される。
図８を参照しながら説明すると、リモコン１０のレバースイッチ３２を左右に傾倒することにより、入力対象カーソル５５がタイトルクリアボタン４５、タイトル部４６の各文字を移動する。
【０１１４】
ステップＳ３３，Ｓ３５で入力対象カーソル５５がタイトルクリアボタン４５を選択したか、タイトル部４６を選択したかが判定される。
ステップＳ３３で入力対象カーソル５５が、タイトルクリアポタン４５上に位置すると、ステップＳ３４に進み入力モード変数DM１をタイトルクリアモードに設定する。
【０１１５】
ステップＳ３５で入力対象カーソル５５が、タイトル部４６上に位置すると、ステップＳ３６に進み入力モード変数DM１をタイトル部入力モードに設定する。その後は、ステップＳ３２にリターンする。
タイトル部入力モードが設定されている時に、ステップＳ３２でレバースイッチ３２を上下に傾倒した場合はステップＳ３７のタイトル部入力モード確認判定を経てステップＳ３８においてタイトル編集処理を実行する。
【０１１６】
タイトル編集処理は、レバースイッチ３２を上下に傾倒することにより、入力文字を選択する。例えば、図８の様に‘Ａ’が表示されている場合、上に傾倒すると‘ ９’が表示され、下に傾倒する‘Ｂ’が表示され、更に下に傾倒すると‘ Ｃ’、‘ Ｄ’と表示される。‘ ９’が表示された状態で更に上に傾倒すると、‘ ８’、‘７’と数字入力できる。
【０１１７】
タイトルクリアモードが設定されている時に、ステップＳ３２でレバースイッチ３２を押下すると、ステップＳ３９のタイトルクリアモード確認判定を経てステップＳ４０においてタイトル部４６をスペースでクリアする。
【０１１８】
ディレクトリタイトル入力機能終了時にはステップＳ４１でディレクトリタイトル部バッファDT０，入力モードバッファDM０，カーソル位置バッファDP０は各変数DT１，DM１，DP１の値を設定（パックアップ）し、次回の起動時に前回のディレクトリタイトル入力機能終了時の状態に復帰させる。
このようにして入力したディレクトリタイトル記録ファイルは図１４のフローに示すようにＰＣカード１９に記録される。
【０１１９】
図１４では、図１０で示したディレクトリタイトル記録操作検出部８５でディレクトリタイトル記録操作が検出されると、ディレクトリタイトル記録制御部６５は、ステップＳ５１でディレクトリタイトル部バッファDT０を用いてディレクトリを作成し、ステップＳ５２でPCカードI/F１２に出力する。
【０１２０】
図１５に静止画像記録フローを示す。
図１５では、図１０で示した静止画像記録操作検出部６８で静止画像記録操作が検出されると、静止画像データ記録制御部５４は、最初のステップＳ５９で入力モードバッファMOがオートモードであるかの判断を行い、オートモードでないとステップＳ６１に移り、オートモードであると、ステップＳ６０で連番部バッファNOをインクリメントして次のステップＳ６１に進む。
【０１２１】
ステップＳ６１では静止画像データ記録制御部５４は画像タイトル部バッファT０、連番部バッファN０で画像ヘツダを作成し、ステップＳ６２でPCカードI/F１２に出力する。引き続き、ステップＳ６３で主画像データをPCカードI/F１２に出力する。そして、ステップＳ６４でサムネイル画像データをPCカードI/F１２に出力する。
【０１２２】
図１６にサムネイル画面表示フローを示す。
図１６では、図２を参照して説明すると、まずステップＳ７１においてPCカードI/F１２を介して、PCカード１９からディレクトリタイトル記録ファイルからディレクトリタイトルを読み取り、グラフィック処理部２４に出力する。
そして、引き続き、以下の処理を静止画像の枚数分繰り返す。
【０１２３】
ステップＳ７２では画像ヘッダ部をPCカードI/F１２から読み出し、またステップＳ７３では、サムネイル画像データをPCカードI/F１２から読み出し、次にステップＳ７４で日時データ、画像タイトル、ディレクトリタイトルをグラフィック処理部２４に出力し、ステップＳ７５でサムネイル画像データをJPEG圧縮／解凍部２１へ出力する。
以上の様にして記録された画像ファイルはPCカードI/F１２を介してPCカード１９に記録される。
【０１２４】
PCカード１９内では、図１７のように記録される。
PCカード１９内ではDCF規格に従ってルートディレクトリにDCIMディレクトリが作成され、そのDCIMディレクトリのサブディレクトリに“１００ENGIN”、“１０１ENGIN”…というようにDCFディレクトリが作成される。
【０１２５】
各DCFディレクトリには、図１８に示すようにディレクトリタイトル記録ファイルDIRECTORY.TXTが記録され、図８及び図１３で述べたようにディレクトリタイトル機能によって付けられたディレクトリタイトルが記録されている。
【０１２６】
また、DCFディレクトリには静止画像データ（ABCD０００１.JPG等）、音声データ（ABCD０００１.WAV等）、動画像データ（ABCD０００１.MOV等）が記録される。
さらに、図１９に示すように画像ファイルの画像ヘツダ部には画像タイトルが記録される。
【０１２７】
図２０に、このように記録されたPCカード１９内の画像を閲覧するためのサムネイル画面を示す。
図２０において、ディレクトリはディレクトリタブ４９で仕切られ、各タブ上にディレクトリタイトル５０が表示される。更に、ディレクトリタブ４９毎に、ディレクトリ内に記録されているサムネイル画像５１が表示されている。
【０１２８】
更に、画面下部にはサムネイル選択カーソル５２が選択しているサムネイル画像５１の画像記録日時５３が表示される。またメディア使用量、ディレクトリタイトル５０、画像タイトルが表示されるのは、ライブ画面と同様である。
【０１２９】
この図２０に示すサムネイル画面で所望のサムネイル画像５１の静止画像を再生することができる。
つまり、図２０のサムネイル画面で所望のサムネイル画像５１上にサムネイル選択カーソル５２を位置させることで、所望のサムネイル画像５１を選択する。そして、静止画像再生操作検出部７１により、静止画像再生操作（リモコン１０のレバースイッチ３２の押下）が検出されると、主画像を再生表示する。
【０１３０】
次に図２１を参照してコンペア画面表示操作を説明する。
再生画面表示中にメニュー表示すると、図２１に示すメニュー付き再生画面を表示する。このメニュー付き再生画面には、前述したIMAGE  TITLE、SETUP、DEFAULTに加えてCOMPAREメニューが表示される。
【０１３１】
また、この画面には、その上部側に再生画像のディレクトリ（或いはフォルダ）番号（具体的には１０１）、ファイル番号（具体的には０００１）表示９１がされる。また、画面の下部側には、再生画像の記録日時表示４１、ディレクトリタイトル表示４２、再生画像タイトル表示４３、PCカード使用量表示４４がされる。
【０１３２】
この画面において、リモコン１０のレバースイッチ３２を上下に傾倒してCOMPAREメニューを選択し、リモコン１０のレバースイッチ３２を押下することでCOMPAREメニューを確定する。
すると、図１０に示したコンペア操作検出部８９により、コンペア表示操作が検出されると、図２２に示すコンペア画面を表示する。なお、このコンペア画面の表示は図２３で後述するように、スーパーインポーズ部２５を制御することにより行われる。
【０１３３】
図２２のコンペア画面では、その画面左上（の隅）を２次元直角座標（Ｘ，Ｙ）の原点（０，０）とし、画面右下（の隅）を（６３９，４７９）として、領域を示す場合には、その対角線方向の２つの座標位置を用いて説明する。例えばこのコンペア画面の領域は（０，０）−（６３９，４７９）で規定され、この場合、図２２に示してある４つの座標位置（０，０）、（６３９，０）、（６３９，４７９）、（０，４７９）で囲まれる領域に相当する。以下で説明する領域も同様である。
【０１３４】
このコンペア画面では、その画面の左半分の領域、つまり（０，０）−（３１９，４７９）で規定される領域が再生画像が表示される再生画像表示領域９２となり、右半分の領域、つまり（３２０，０）−（６３９，４７９）で規定される領域がライブ画像或いはフリーズ画像が表示されるライブ／フリーズ画像表示領域９３となる。
【０１３５】
また、再生画像表示領域９２には再生画像のディレクトリ番号、ファイル番号表示９１がされ、再生画像の記録日時表示４１、ディレクトリタイトル表示４２、再生画像タイトル表示４３、PCカード使用両表示４４がされる。
【０１３６】
このコンペア画面表示中にリモコン１０のジョイスティック３１を任意の方向に傾倒すると、前述したように内視鏡挿入部１８先端のアングル角度が制御され、内視鏡先端を任意の方向に向けることができる。従って、被写体の所望の部位を容易に観察することができる。
【０１３７】
従って、例えば再生画像表示領域９２に表示されている再生画像と同じ部位の被写体を観察できる状態に設定することにより、以前の状態を比較して確認したり、修理等した後にその同じ部位を比較して、修理等が確実に行われたかを確認することができるようにしている。
【０１３８】
また、リモコン１０のフリーズスイッチ３６を押下すると、ライブ／フリーズ画像表示領域９３で表示されていたライブ画像をフリーズしたり、フリーズ画像を（フリーズ解除して）ライブ画像にすることができる。つまり、ライブ画像をフリーズしてフリーズ画像の表示にしたり、フリーズ画像のフリーズ解除によりライブ画像に戻した画像表示を行うことができるようにしている。
また、リモコン１０のレバースイッチ３２を左右に傾倒することで、再生画像をパン操作できるようにしている。
【０１３９】
図２３はスーパーインポーズ部２５の構成を示す。
このスーパーインポーズ部２５は、第１の切替スイッチSW１と第２の切替スイッチSW２と、第２の切替スイッチSW２の切替を制御するスーパーインポーズ制御部９４とから構成される。
【０１４０】
第１の切替スイッチSW１には、A/D変換部２０でデジタル変換され、フレームメモリ２６を経た映像データ、JPEG圧縮／解凍部２１により解凍されてVRAM２２で一時格納された静止画、動画圧縮／解凍部２３からの解凍された動画の映像データとが３つの接点にそれぞれ入力され、表示画像出力制御部６３からの制御信号により、選択された映像データが共通接点を経て第２の切替スイッチSW２側に出力される。
【０１４１】
コンペア表示操作が検出された場合には、表示画像出力制御部６３は画面の左半分（０，０）−（３１９，４７９）に対しては、JPEG圧縮／解凍部２１或いは動画圧縮／解凍部２３からの映像データを選択し、右半分（３２０，０）−（６３９，４７９）に対してはフレームメモリ２６からのデジタル変換されたライブ／フリーズ画像の映像データを選択するように制御する。
【０１４２】
そして、これらの映像データは第２の切替スイッチSW２を経てD/A変換部２７側に出力される。
このD/A変換部２７にはコンペア画面の２つの画像の映像データが入力され、D/A変換して映像出力装置４にはコンペア画面が表示される。
【０１４３】
また、コンペア画面においても、パン操作検出部９０により、パン操作が検出されると、表示画像出力制御部６３は、再生画像が静止画の場合にはJPEG圧縮／解凍部２１がVRAM２２から読み出す映像データの水平方向の読み出し位置を制御し、コンペア画像の左側の再生画像を左右にパンする。
【０１４４】
また、パン操作検出部９０により、パン操作が検出されると、表示画像出力制御部６３は、再生画像が動画の場合には動画圧縮／解凍部２３内の図示しないメモリから読み出す映像データの水平方向の読み出し位置を制御し、コンペア画像の左側の再生画像を左右にパンする。
【０１４５】
具体的には、リモコン１０のレバースイッチ３２を右に倒すと再生画像を画面上で右方向に移動させるように読み出し位置を制御する。また、左に倒すと、再生画像を画面上で左方向に移動させるように読み出し位置を制御する。
【０１４６】
従って、記録された過去の画像を再生表示したままライブ画像を表示し、両画像を比較しながら、（リモコン１０のジョイスティック３１の操作等により）ライブ画像を所望の位置に選択設定（或いは変更）して容易に観察できるし、上記のようにパン操作により、再生画像を左右に移動することもできる。
つまり、左右に並んで表示されている再生画像とライブ画像（静止画にもできる）に対して同時に表示部位選択操作を行うことができる。
【０１４７】
なお、ライブ画像を静止画にした場合には、その静止画の映像データを記憶しているフレームメモリ２６の読み出しアドレスを左右に移動することにより、コンペア画面における右側に表示される静止画を左右に移動調整することもできる。
【０１４８】
上記第２の切替スイッチSW２には第１の切替スイッチSW１により選択された映像データと、グラフィック処理部２４で生成されたグラフィックデータとが入力され、スーパーインポーズ制御部９４からの制御信号で切替が制御される。
グラフィック処理部２４は、画面表示（メニュー表示等）に使用しない色（これをキーカラーと呼ぶ）で１画面のグラフィックデータを作成する。
【０１４９】
さらに、そのキーカラー画面上にメニュー等のグラフィックデータを上書きして、第２の切替スイッチSW２に出力する。
スーパーインポーズ制御部９４は、キーカラーの部分については映像データを選択し、キーカラー以外の色であればグラフィックデータを選択するように第２の切替スイッチSW２の切替を制御する。
【０１５０】
つまり、図２４に示すようになスーパーインポーズ制御を行う。
図２４に示すようにスーパーインポーズ制御部９４は、グラフィック処理部２４が生成したグラフィックデータが所定のキーカラーであるか否かを判断する（ステップＳ７６）。
【０１５１】
そして、グラフィックデータが所定のキーカラーである場合にはステップＳ７７の映像データを選択する。一方、グラフィックデータが所定のキーカラーでない場合、つまり、キーカラー以外の色であればステップＳ７８のグラフィックデータを選択し、スーパーインポーズ部２５から出力する。
【０１５２】
以上のように、本発明による第１の実施の形態では、市販のデジタルカメラでの再生や、その周辺機器たとえばデジタルカメラ用プリンタでの印刷が可能で、且つ画像データを管理しやすく、また形状が類似した多数の被写体であってもそれぞれの画像データに対するタイトル付けが容易に行え、しかも画像データに関係付けてディレクトリタイトルを付けることが可能な内視鏡画像ファイル装置を実現できる。
【０１５３】
そして、ディレクトリタイトルと画像タイトルを別ファイルに記録し、且つDCFディレクトリ内にディレクトリタイトル記録ファイルを記録すると、ディレクトリタイトルと、画像データを個別に取り扱うので、例えばUSB I/F１４ を介してPC１３に画像データを転送する場合においても、画像ファイルを転送するのみでディレクトリタイトルを何ら考慮する必要が無い。
【０１５４】
また、メニュー付き再生画面において、COMPAREメニューを選択することにより、再生画像とライブ画像（フリーズしたフリーズ画像も含む）を左右に並べて表示するコンペア画面にでき、その場合にパン操作により表示される再生画像を左右（水平）方向に移動することが容易にできるし、ライブ画像を（リモコン１０のジョイスティック３１による）アングル操作で表示位置を（左右方向はもとよりその他の方向にも）移動することが容易にできる。
【０１５５】
また、ライブ画像をフリーズ画像（静止画）にした場合にも、その表示画像を左右にパンすることもできる。従って、本実施の形態によれば、過去の再生画像と、現在のライブ画像とを術者等のユーザは比較し易い状態等に両画像をそれぞれ表示位置の変更等をするなどして比較がし易い。例えば修理処置を行った場合における修理処置前の画像と修理後の画像とを同じような観察状態に設定してその確認を簡単に行うことができ、操作性を大幅に向上できる。
【０１５６】
以上の第１の実施の形態では、画像ファイル内に画像タイトルを保持するとともに、画像ファイルとは異なるファイルにディレクトリタイトルを保持し、実際のファイル名やディレクトリ名の代わりに表示するものであったが、次に述べる第２の実施の形態では、画像ファイル内に画像タイトルとディレクトリタイトルの組み合わせを保持し、実際のファイル名やディレクトリ名の代わりに表示する例について説明する。
【０１５７】
なお、図２２に示したコンペア画面における左側に表示されるライブ画像の表示部位を変更する場合、リモコン１０のジョイスティック３１により変更することができるが、そのフリーズ画の場合と同様にフレームメモリ２６から読み出すアドレスの変更操作、つまりパン操作により表示部位を変更できるようにしても良い。
【０１５８】
コンペア画面の表示状態において、例えば再生画像側パン操作とライブ画像側のパン操作の選択手段を設けてそれぞれ自由に行えるようにしても良い。或いはパン操作を選択した場合、その次に再生画像側パン操作とライブ画像側のパン操作を選択する表示等を行い、選択された側のパン操作を行えるようにしても良い。
【０１５９】
〔第２の実施の形態〕
第２の実施の形態では、図２５に示すように専用のディレクトリタイトル記録ファイル（図１７に示すDIRECTRY.TXT参照）を設けないデータ構成とするもので、図２６に示すように画像ヘッダ部にディレクトリタイトルと画像タイトルを記録する。
【０１６０】
このようにディレクトリタイトルと画像タイトルを、画像ヘッダ部に記録すると、ディレクトリタイトル記録ファイルが不要なので、少容量のPCカード１９であってもディレクトリタイトル、画像タイトルを記録できる利点がある。
【０１６１】
図９、図１０で示したディレクトリタイトル記録制御部６５は不要となり、図１１に示した静止画像データ記録制御部５４は図２７に示す静止画像データ記録制御部８６に置き換えられる。
【０１６２】
図２７において、画像及び情報記録制御手段としての静止画像データ記録制御部８６は、図１１に示した静止画像データ記録制御部５４の構成（画像ヘッダ記録制御部７６，サムネイル画像記録制御部７８及び主画像データ記録制御部８０）に加えて、ディレクトリタイトル記録制御部７７を具備する。
図２８は、図２７のように構成した静止画像データ記録制御部８６を用いた静止画像データ記録フローを示す。
【０１６３】
静止画像記録操作検出部６８で静止画像記録操作が検出されると、静止画像データ記録制御部８６は、ステップＳ８１で画像タイトル部バッファ０、連番部バッファN０、ディレクトリタイトル部バッファDT０で画像ヘッダを作成し、ステップＳ８２でPCカードI/F１２に出力する。
引き続き、ステップＳ８３で主画像データをPCカードI/F１２に出力する。また、ステップＳ８４でサムネイル画像データをPCカードI/F１２に出力する。
【０１６４】
また、図２９にサムネイル画面表示フローを示す。
ディレクトリタブ上にディレクトリタイトルを表示するため、まず１枚の画像を読み出す。つまり、ステップＳ９１でPCカードI/F１２を介して、画像ヘッダ部を読み出す。また、ステップＳ９２でPCカードI/F１２を介して、サムネイル画像データを読み出す。
【０１６５】
引き続き、ステップＳ９３で画像ヘッダ部から日時データ、画像タイトル、ディレクトリタイトルを読み取り、グラフィック処理部２４に出力する。
ここで日時データ、画像タイトルとともにサムネイル画面のディレクトリタブ上にディレクトリタイトルが表示される。
そして、引き続き、ステップＳ９４においてサムネイル画像データをJPEG圧縮／解凍部２１へ出力する。
【０１６６】
更に、以下の処理を静止画像の枚数分繰り返す。
ステップＳ９５でPCカードI/F１２を介して、画像ヘッダ部を読み出す。また、ステップＳ９６でPCカードI/F１２を介して、サムネイル画像データを読み出す。
【０１６７】
引き続き、ステップＳ９７において画像ヘッダ部から日時データ、画像タイトル、ディレクトリタイトルを読み取り、グラフィック処理部２４に出力する。また、ステップＳ９８においてサムネイル画像データをJPEG圧縮／解凍部２１へ出力する。
【０１６８】
以上述べた第２の実施の形態によれば、ディレクトリタイトルと画像タイトルを同じファイルに記録すると、ディレクトリタイトルを保持するための専用ファイルが不要なので、少容量のPCカードが使用できる。
【０１６９】
[付記]
１． 画像ファイル内に画像タイトルを保持するとともに、画像ファイルとは異なるファイルにディレクトリタイトルを保持し、実際のファイル名やディレクトリ名の代わりに表示することを特徴とする内視鏡画像ファイル装置。
【０１７０】
２．画像ファイル内に画像タイトルとディレクトリタイトルの組み合わせを保持し、実際のファイル名やディレクトリ名の代わりに表示することを特徴とする内視鏡画像ファイル装置。
【０１７１】
３．タイトルを付与した画像を記録する内視鏡装置において、タイトルは任意の文字を入力できる文字列部とシリアル番号を入力できる連番部とで構成され、連番部をインクリメントする操作手段を具備したことを特徴とする内視鏡画像ファイル装置。
【０１７２】
４．被写体に対する現在の状態を示す第１の画像と、画像記録手段から読み出された過去の被写体の状態を示す第２の画像とを、画像切替手段を切り替えることにより、表示手段に同時に並べて表示する機能を備えた画像ファイル装置において、
前記表示手段に表示される前記第１の画像と第２の画像との各表示部位（表示領域）をそれぞれ独立して変更可能にした表示部位変更手段を設けたことを特徴とする画像ファイル装置。
【０１７３】
５．付記４において、前記第１の画像は被写体の現在の状態を示す動画像（ライブ画像）か、フリーズされた静止画である。
６．付記４において、前記第２の画像は動画或いは静止画である。
７．前記前記第１の画像と第２の画像は前記表示手段における水平方向に並んで表示され、前記表示部位変更手段は前記第１の画像と第２の画像の各表示部位の水平方向の位置を変更可能である。
【０１７４】
（付記４〜７が解決しようとする課題）
本出願人が特許出願した特開平８−３３６１６０号公報で、静止画同士を並べて表示する実施例が開示されている。その実施例では、静止画同士を並べて表示する必要があるため、画像を一旦記録しなければならなかった。
また、ライブ画像と過去に記録した静止画を並べて表示する場合であっても、ライブ画像と静止画を並べて表示すると、いずれの画像も画像全体を同時に表示することができない。そのため、並べて表示しているライブ画像及び静止画それぞれに対して、画面に表示している部位を選択できる必要がある。
しかし、従来は所望の部位を選択する場合、ライブ画像、静止画のいずれの画像に対して、部位選択操作を行うかを予め選択する必要があった。つまり、ライブ画像と静止画に対して同時に部位選択の操作を行うことができなかった。
【０１７５】
（付記４〜７の目的）
記録されている過去の画像を表示したままライブ画像（現在の画像）を表示し、過去の画像と現在の画像を比較しながら、被写体中の所望の位置を容易に観察できる画像ファイル装置を提供することを目的とする。
また、並んで表示されている現在の画像と過去の画像に対して同時に表示部位選択操作を容易に行うことができる画像ファイル装置を提供することを目的とする。そのため、付記４〜７の構成にした。
【０１７６】
（付記４〜７の効果）
被写体に対する現在の画像と過去の画像とを並べて表示し、その場合に両画像の表示部位をそれぞれ独立して変更できるので、注目する部位等を比較し易い状態に表示して、比較することが容易にできる。
【０１７７】
【発明の効果】
以上述べたように本発明によれば、市販のデジタルカメラでの再生や、その周辺機器例えばデジタルカメラ用プリンタでの印刷が可能で、且つ画像を管理しやすく、また形状が類似した多数の被写体であっても各被写体画像に対するタイトル付けが容易に行える内視鏡画像ファイル装置を実現できる。
【０１７８】
ジェットエンジンのタービンブレード検査のように形状の類似した画像を記録する際にも、タイトル入力操作が最小限で済み、また番号付加用の特別なスイッチも不要となる。
【図面の簡単な説明】
【図１】本発明の第１の実施の形態の画像ファイル装置のハードウエア構成を示すブロック図。
【図２】図１における映像信号処理回路および音声信号処理回路の機能構成を示すブロック図。
【図３】図１におけるリモコンの斜視図。
【図４】ライブ画面を説明する図。
【図５】メニュー付きライブ画面を説明する図。
【図６】画像タイトル入力ウィンドウを説明する図。
【図７】画像タイトル入力機能フローチャート。
【図８】ディレクトリタイトル入力ウィンドウを説明する図。
【図９】図１におけるシステム制御部の機能的な構成を示すブロック図。
【図１０】図９における操作検出部６０の構成を示すブロック図。
【図１１】図９における画像記録制御手段としての静止画像データ記録制御部５４の構成を示すブロック図。
【図１２】図９における静止画像データ出力制御部５７の構成を示すブロック図。
【図１３】ディレクトリタイトル入力機能フローチャート。
【図１４】ディレクトリタイトル記録ファイルの記録フローチャート。
【図１５】静止画像データの記録フローチャート。
【図１６】サムネイル画面表示フローチャート。
【図１７】第１の実施の形態におけるＰＣカード内のデータ説明図。
【図１８】第１の実施の形態におけるディレクトリタイトル記録ファイルの説明図。
【図１９】第１の実施の形態における画像ファイル詳細説明図。
【図２０】サムネイル画面説明図。
【図２１】メニュー付き再生画面を示す図。
【図２２】コンペア画面を示す図。
【図２３】スーパーインポーズ部の構成を示す図。
【図２４】スーパーインポーズ制御部の制御フローを示す図。
【図２５】本発明の第２の実施の形態におけるＰＣカード内のデータ説明図。
【図２６】第２の実施の形態における画像ファイル詳細説明図。
【図２７】画像及び情報記録制御手段としての静止画像データ記録制御部の構成を示すブロック図。
【図２８】図２７のように構成した静止画像データ記録制御部を用いた場合の静止画像データ記録フローチャート。
【図２９】サムネイル画面表示フローチャート。
【符号の説明】
１…内視鏡画像ファイル装置
２…システム制御部
１０…リモコン
１１…ＲＳ−232Ｃ Ｉ/Ｆ
１２…ＰＣカードＩ/Ｆ
１５…ＣＰＵ
１９…ＰＣカード（記録手段）
３２…レバースイッチ（操作手段）
５４…静止画像データ記録制御部（画像記録制御手段）
６５…ディレクトリタイトル記録制御部（情報記録制御手段）
６６…リモコン操作検出部
８６…静止画像データ記録制御部（画像及び情報記録制御手段）
【図１】
0004812190.tif 000002
【図２】
0004812190.tif 000003
【図３】
0004812190.tif 000004
【図４】
0004812190.tif 000005
【図５】
0004812190.tif 000006
【図６】
0004812190.tif 000007
【図７】
0004812190.tif 000008
【図８】
0004812190.tif 000009
【図９】
0004812190.tif 000010
【図１０】
0004812190.tif 000011
【図１１】
0004812190.tif 000012
【図１２】
0004812190.tif 000013
【図１３】
0004812190.tif 000014
【図１４】
0004812190.tif 000015
【図１５】
0004812190.tif 000016
【図１６】
0004812190.tif 000017
【図１７】
0004812190.tif 000018
【図１８】
0004812190.tif 000019
【図１９】
0004812190.tif 000020
【図２０】
0004812190.tif 000021
【図２１】
0004812190.tif 000022
【図２２】
0004812190.tif 000023
【図２３】
0004812190.tif 000024
【図２４】
0004812190.tif 000025
【図２５】
0004812190.tif 000026
【図２６】
0004812190.tif 000027
【図２７】
0004812190.tif 000028
【図２８】
0004812190.tif 000029
【図２９】
0004812190.tif 000030